(57)【要約】      （修正有）【課題】セカンドバッテリを外付けすることによりバッテリライフを延ばすことを可能とし、セカンドバッテリの充電をも内蔵バッテリの充電回路により可能な携帯端末装置を提供する。【解決手段】充電用アダプタＢと接続可能な充電回路１と、前記充電回路１からレギュレータ２に電力を供給する電源ラインを有する携帯端末装置において、内蔵バッテリ４の出力端子と前記電源ラインとの間に接続した第１のスイッチ３１と、外部バッテリ５と接続されるバッテリ接続端子７と前記電源ラインとの間に接続した第２のスイッチ３２とを有し、外部バッテリ５が接続状態でその電圧が、所定の基準電圧（低電圧警報電圧値）以上の場合に前記第１のスイッチのみオン状態に制御し、前記基準電圧未満の場合に第２のスイッチのみをオン状態に制御し、外部バッテリ５から優先的に電力供給する。更に外部バッテリ５の充電をも可能とする。【選択図】        図２
2005295683.tif 000002
【特許請求の範囲】
【請求項１】
充電用アダプタと接続可能な充電回路と、前記充電回路からレギュレータに電力を供給する電源ラインを有する携帯端末装置において、
内蔵バッテリと、前記内蔵バッテリの出力端子と前記電源ラインとの間に接続した第１のスイッチと、外部バッテリの出力端子と接続されるバッテリ接続端子と、前記バッテリ接続端子と前記電源ラインとの間に接続した第２のスイッチと、前記バッテリ接続端子の電圧が、所定の基準電圧以上の場合に前記第２のスイッチのみオン状態に制御し、前記基準電圧未満の場合に第１のスイッチのみをオン状態に制御する第１及び第２スイッチの制御回路と、を有することを特徴とする携帯端末装置。
【請求項２】
前記内蔵バッテリ又は外部バッテリから電源ラインに電力供給時に前記充電回路からそれぞれ前記第１又は第２のスイッチを介して前記内蔵バッテリ又は外部バッテリを選択的に充電可能であることを特徴とする請求項１記載の携帯端末装置。
【請求項３】
前記充電回路と前記電源ラインとの間及び前記充電回路と前記バッテリ接続端子との間にそれぞれ接続した第３及び第４のスイッチと、前記第３及び第４のスイッチのオンオフ状態を互いに逆方向に切り替える操作部と、を備えることを特徴とする請求項１又は２記載の携帯端末装置。
【請求項４】
充電用アダプタと接続可能な充電回路と、前記充電回路からレギュレータに電力を供給する電源ラインを有する携帯端末装置において、
前記充電回路と前記電源ラインとの間に直列に接続した第３のスイッチ及び第１のスイッチと、前記第３のスイッチと前記第１のスイッチとの接続点に出力端子を接続した内蔵バッテリと、外部バッテリの出力端子と接続されるバッテリ接続端子と、前記バッテリ接続端子と前記電源ラインとの間に接続した第２のスイッチと、前記充電回路と前記バッテリ接続端子との間に接続した第４のスイッチと、前記第３及び第４のスイッチのオンオフ状態を互いに逆方向に切り替える操作部と、前記バッテリ接続端子の電圧が、所定の基準電圧以上の場合に前記第２のスイッチのみオン状態に制御し、前記基準電圧未満の場合に第１のスイッチのみをオン状態に制御する第１及び第２スイッチの制御回路と、を有することを特徴とする携帯端末装置。
【請求項５】
前記基準電圧は、レギュレータの出力で動作する回路の動作特性が確保できる最低の電源電圧を出力するときのレギュレータの入力電圧である低電圧警報電圧値とすることを特徴とする請求項１ないし４の何れかに記載の携帯端末装置。
【請求項６】
パーソナルコンピュータのＰＣＡＣＩＡカードスロットに挿入可能なＰＣＭＣＩＡインターフェース部を備え、前記充電回路は充電用アダプタに替えてＰＣＡＣＩＡカードスロット内の電源部と接続可能であることを特徴とする請求項１ないし５の何れかに記載の携帯端末装置。
【請求項７】
前記第１及び第２のスイッチは、ＭＯＳ型電界効果トランジスタにより構成したことを特徴とする請求項１ないし６の何れかに載の携帯端末装置。
【発明の詳細な説明】
【技術分野】
【０００１】
本発明は、携帯電話機のバッテリ電源の供給に関し、特に、セカンドバッテリの装着時の電源切り替え制御機能を有する携帯端末装置に関する。
【背景技術】
【０００２】
携帯電話機器の小型化、薄型化を実現するには使用するバッテリの形状の小型化が重要な要因の一つであり、近年、このようなバッテリを非常に薄くする技術として、バッテリの正極、負極を積層しラミネートフィルムで薄く圧縮して「積層ラミネート形状」としたバッテリの開発実用化が進展してきている。
【０００３】
この様なバッテリを使用すれば、現在データ通信用で使用されているＰＣＭＣＩＡカードタイプのＰＨＳ装置等にバッテリを内蔵することが可能となる。現在はノートＰＣのＰＣＭＣＩＡスロットにこのようなＰＨＳ装置を挿入し、ノートＰＣより電力供給を受けて所望の機能を実現するように動作させているが、今後、バッテリの内蔵により単体での動作も可能になり、データ通信のみならず音声通信の用途への展開も見えてくる。また、かかるＰＨＳ装置のみならず各種の携帯電話システム（ＰＤＣ、ＧＳＭ、ＷＣＤＭＡ）の携帯端末装置への前記バッテリの搭載の具現化も類推して実現することが可能となる。ところが、このようなバッテリを利用する場合の問題点としては、バッテリ容量が少ないという欠点があることである。
【０００４】
一方、従来通信端末装置を小型化、軽量化したり、動作時間を長時間化するように内部バッテリと外付けバッテリとを使用し必要により使い分けるようにバッテリ回路を構成したものが提案されている（特許文献１参照）。  
このバッテリ回路では、通信端末装置筐体に着脱自在に装着される外付けバッテリと内部バッテリとを備え、外付けバッテリが装着された場合には当該外付けバッテリから供給される第１の駆動電圧を通信端末装置の回路に与えて駆動させ、外付けバッテリが装着されていない場合には内部バッテリから供給される第２の駆動電圧を回路に与えて駆動させるように、第１の駆動電圧と第２の駆動電圧とを切り替えて使用するものである。また、この携帯端末装置では、外付けバッテリを装着して使用する際に、第１の駆動電圧と基準電圧との比較結果により外付けバッテリ３を優先的に用いて動作すると共に、外付けバッテリが過放電しても内部バッテリに切り替えて使用することにより両バッテリを連続して用いて動作させ、従来の携帯端末装置に比べて動作時間を大幅に延ばすことができるようにしたものである（特許文献１（３）バッテリ切替処理）。
【０００５】
【特許文献１】特開２０００−１０１６９６号公報
【発明の開示】
【発明が解決しようとする課題】
【０００６】
前述のように携帯端末装置の小型化、軽量化により容量は小さいものの小型の内部バッテリを実装した通信端末装置において、携帯時等の動作時間を長時間化するように必要によりセカンドバッテリ（外付けバッテリ）を装着して使用する使い分けを可能とすることが考えられるが、この場合、内蔵バッテリは通常のＡＣ／ＤＣアダプタを外部接続して充電するように構成し、外付けバッテリの充電は他の充電器を使用して充電する構成となる。
【０００７】
しかしながら、この方法では内蔵バッテリ及び外付けバッテリの充電を異なる方法で充電することになり、特に、外付けバッテリの取り扱いが特殊な充電装置を必要とする等により使い勝手が良くない電源システムとならざるを得ないという点で問題がある。
【０００８】
特に、一般に普及しているＰＣＭＣＩＡ（ＴＹＰＥ２）のＰＨＳ装置等の寸法は８５．６×５４．０×５．０ｍｍと規定されており、この形状内にバッテリを挿入するにはバッテリの高さは１．５ｍｍ程度が限界と見積られ、仮にバッテリ面積を５０×５０ｍｍと想定した場合、バッテリの容量値はおおよそ２００ｍＡｈ程度と見積られる。この容量値は現行携帯電話機種で使用しているバッテリ容量値の６００〜７００ｍＡｈと比較すると非常に少ないのでバッテリライフが極端に短くなるから、同様の電源システム構成として内蔵バッテリと外付けバッテリの使い分け構成を利用することすることも考えられるが、この場合も同様の電源システム上の問題点がある。
【０００９】
本発明の目的は、以上のような課題を解決するものであり、セカンドバッテリ（外部バッテリ）の外付けによりバッテリライフを延ばすことを可能にした携帯端末装置を提供することにある。  
本発明の他の目的は、内蔵バッテリと外部バッテリとの使い勝手のよい電源切り替えシステムを有する携帯端末装置を提供することにある。  
本発明の他の目的は、外部バッテリの充電をも内蔵バッテリの充電回路により可能な電源切り替えシステムを有する携帯端末装置を提供することにある。  
本発明の他の目的は、外部バッテリを外付け可能なＰＣＭＣＩＡカードタイプの携帯端末装置を提供することにある。
【課題を解決するための手段】
【００１０】
本発明の携帯端末装置は、充電用アダプタ（例えば図２のＢ）と接続可能な充電回路（例えば図２の１）と、前記充電回路からレギュレータ（例えば図２の２）に電力を供給する電源ラインを有する携帯端末装置において、内蔵バッテリ（例えば図２の４）と、前記内蔵バッテリの出力端子と前記電源ラインとの間に接続した第１のスイッチ（例えば図２の３１）と、外部バッテリ（例えば図２の５）の出力端子と接続されるバッテリ接続端子（例えば図２の７）と、前記バッテリ接続端子と前記電源ラインとの間に接続した第２のスイッチ（例えば図２の３２）と、前記バッテリ接続端子の電圧が、所定の基準電圧（例えば図２のＶｒｅｆ）以上の場合に前記第２のスイッチ（例えば図２の３２）のみオン状態に制御し、前記基準電圧未満の場合に第１のスイッチ（例えば図２の３１）のみをオン状態に制御する第１及び第２スイッチの制御回路（例えば図２の３５、３６、３７）と、を有することを特徴とする。また、前記内蔵バッテリ又は外部バッテリから電源ラインに電力供給時に前記充電回路からそれぞれ前記第１又は第２のスイッチを介して前記内蔵バッテリ又は外部バッテリを選択的に充電可能であることを特徴とする。
【００１１】
また、前記充電回路と前記電源ラインとの間及び前記充電回路と前記バッテリ接続端子との間にそれぞれ接続した第３及び第４のスイッチ（例えば図２の６１、６２）と、前記第３及び第４のスイッチのオンオフ状態を互いに逆方向に切り替える操作部（図２の６３）と、を備えることを特徴とする。
【００１２】
本発明の携帯端末装置は、充電用アダプタと接続可能な充電回路と、前記充電回路からレギュレータに電力を供給する電源ラインを有する携帯端末装置において、前記充電回路と前記電源ラインとの間に直列に接続した第３のスイッチ（例えば図３の６１）及び第１のスイッチと、前記第３のスイッチと前記第１のスイッチ（例えば図３の３８）との接続点に出力端子を接続した内蔵バッテリと、外部バッテリの出力端子と接続されるバッテリ接続端子と、前記バッテリ接続端子と前記電源ラインとの間に接続した第２のスイッチ（例えば図３の３２）と、前記充電回路と前記バッテリ接続端子との間に接続した第４のスイッチ（例えば図３の６２）と、前記第３及び第４のスイッチのオンオフ状態を互いに逆方向に切り替える操作部と、前記バッテリ接続端子の電圧が、所定の基準電圧以上の場合に前記第２のスイッチのみオン状態に制御し、前記基準電圧未満の場合に第１のスイッチのみをオン状態に制御する第１及び第２スイッチの制御回路（例えば図３の３５、３６、３４）と、を有することを特徴とする。
【００１３】
更に、前記基準電圧は、レギュレータの出力で動作する回路の動作特性が確保できる最低の電源電圧を出力するときのレギュレータの入力電圧である低電圧警報電圧値（例えば図３のＬＶＡ：３．６Ｖ）とすることを特徴とする。
【００１４】
また、前記携帯端末装置は、パーソナルコンピュータのＰＣＡＣＩＡカードスロットに挿入可能なＰＣＭＣＩＡインターフェース部を備え、前記充電回路は充電用アダプタに替えてＰＣＡＣＩＡカードスロット内の電源部と接続可能であることを特徴とする（例えば図８）。
【００１５】
（作用）
本発明は、携帯端末装置のバッテリライフを延ばす目的で、既に搭載されているリチュームイオンバッテリ等の内部バッテリと並列に外部よりリチュームイオンバッテリ等の外部バッテリを接続することによりバッテリライフを延ばすことを可能とする２つのバッテリの切り替え制御機能を有することを特徴とし、２つのバッテリ間での充放電を回避し外部バッテリの接続、非接続の状態及びＡＣ／ＤＣアダプターの接続、非接続の状態に応じて、バッテリからの電力供給を自動的に切り替える機能、各バッテリの充電を好適に行う切り替え機能を有し、更に次の機能をも有する。
【００１６】
１．携帯端末装置内部で設定されている低電圧警報（ＬＶＡ：Low Voltage Alarm）電圧値等を基準電圧とし、外部バッテリの電圧値がこれより大きい場合、外部バッテリを内蔵バッテリに優先して回路に電力を供給する。つまり、外部バッテリ装着時の内蔵バッテリのとの優先関係は、外部バッテリの電圧値が携帯端末装置で使用しているバッテリの低電圧警報電圧値よりも高い場合は優先して回路に電力供給を行う機能、２．外部バッテリの電圧値が低電圧警報電圧値を下回った場合、内蔵バッテリから回路への電力供給を行う機能、３．外部バッテリの装着、非装着にかかわらず、ＡＣ／ＤＣアダプターの接続時に、電力供給と並行してそれぞれのバッテリを充電する機能、４．放電した外部バッテリを前記ＡＣ／ＤＣアダプターにより別途充電する機能を有する。
【発明の効果】
【００１７】
本発明によれば、内蔵バッテリ４と外部より着脱する外部バッテリ５の各々を有効に使用することができるとともに、バッテリライフを向上させることが可能であり、また、充電回路からレギュレータへの電源供給と各バッテリの何れかへの充電をおこなうことが可能である。
【００１８】
また、充電回路と電源ラインとの間及び外部バッテリのバッテリ接続端子との間にそれぞれスイッチを設けて切り替えることにより外部バッテリの充電を内蔵バッテリと同じ充電回路により行うことが可能である。
【００１９】
更に、電源供給する外部バッテリから内蔵バッテリへの切り替えを外部バッテリの電圧が低電圧警報電圧値になった時点で行うことにより、携帯端末装置の回路の誤動作を防止することが可能である。
【００２０】
また、内蔵バッテリ及び外部バッテリの充電が単一のＡＣ／ＤＣアダプタ、ノートＰＣ等の充電器から適宜行うことが可能で使い勝手のよい電源システムが実現できるとともに、ＰＣＭＣＩＡ（ＴＹＰＥ２）のＰＨＳ装置等への適用に好適である。
【発明を実施するための最良の形態】
【００２１】
次に、本発明の携帯端末装の一実施の形態として携帯電話機の例を図を参照して、以下詳細に説明する。  
（構成の説明）
図１は本発明の実施の形態としての携帯電話機の構成を示す図である。携帯電話機本体は無線部ＲＦ、メモリを有するベースバンド処理部ＢＢ、ＬＣＤ表示、キー入力ＫＥＹ等の入出力部に加え、各回路ブロックに電源を供給するところの本発明の電源切り替えシステムを構成する電源制御部Ａと、内蔵バッテリ（Ｖ１）を備える。また電源制御部Ａにはセカンドバッテリとしての外部バッテリ（Ｖ２）が着脱可能であり、更に、外部電源として携帯電話機に電力を供給するとともにバッテリを充電するＡＣ／ＤＣアダプタＢを有する。
【００２２】
図２は本実施の形態の携帯電話機の電源構成部分を示す図である。携帯電話機本体内の電源制御部Ａの構成は、本体と独立した充電用のＡＣ／ＤＣアダプタＢと接続可能であり、ＡＣ／ＤＣアダプタＢとの接続時に電源供給及びバッテリの充電を行うための充電ＩＣ１と、バッテリ電圧が印加され安定化電圧を出力する各レギュレータ２と、携帯電話機内部に実装された内蔵バッテリ４と、外付けするセカンドバッテリとしての外部バッテリ５と、これらのバッテリの電圧を各レギュレータ２に印加するバッテリ切替回路３と、充電ＩＣ１とバッテリ切替回路３の間の充電スイッチ６と、外部バッテリ５を接続するバッテリ接続端子７とで構成される。
【００２３】
前記バッテリ切替回路３は、外部バッテリ５の接続時に該外部バッテリ５と内蔵バッテリ４との間で充放電動作を起こさないことと、外部バッテリ５の充電量が各レギュレータ２の駆動に必要な残量を有している限り、内蔵バッテリ４に優先して使用され、所定値以下の残量で内蔵バッテリ４に切り替わるように自動的な制御を実現する切替回路である。
【００２４】
内蔵バッテリ４と電源ライン間に接続されたｐチャンネル絶縁型電界効果トランジスタ（Ｐ−ＭＯＳトランジスタ）３１と、外部バッテリ５と接続されるバッテリ接続端子７と電源ライン間に接続されたＰ−ＭＯＳトランジスタ３２と、バッテリ接続端子７の内部配線に接地へのプルダウン抵抗３６が接続され、同内部配線に非反転入力端子が接続され反転入力端子に基準電圧Ｖｒｅｆが接続された差動型コンパレータ（比較器）３５と、出力をＰ−ＭＯＳトランジスタ３１のゲート電極に接続したＡＮＤ回路３７と、前記内部配線を入力とする２個のインバータ回路３３の出力を前記ＡＮＤ回路３７の一方の入力端子に、比較器３５の出力を前記ＡＮＤ回路３７の他方の入力端子にそれぞれ接続し、更に比較器３５の出力をインバータ回路３４を介してＰ−ＭＯＳトランジスタ３２のゲート電極に接続した構成を備える。なお、Ｐ−ＭＯＳトランジスタ３１のゲート電極に比較器３５の出力を直接接続することも可能である。
【００２５】
前記充電スイッチ６は、充電ＩＣ１とバッテリ切替回路３の電源ラインとの間に直列接続されたスイッチ６１と、充電ＩＣ１と外部バッテリ５のバッテリ接続端子７との間のスイッチ６２でなり、切替制御用の釦等の操作部６３の操作によりスイッチ６１、６２を互いにオンオフ動作が逆になるように切り替え制御する構成を備える。ここでスイッチ６１、６２は、大電力のＰ−ＭＯＳトランジスタで構成することができる。
【００２６】
（動作の説明）
次に本発明の実施の形態の動作について図面を参照して詳細に説明する。  
最初に、内蔵バッテリ４と外部バッテリ５から各レギュレータへ電源を供給するバッテリ切替回路３の動作について説明する。
【００２７】
いま、内蔵バッテリ４が充電状態にあり、外部バッテリ５がバッテリ接続端子７に接続されていないとすると、バッテリ接続端子７の電圧レベルはプルダウン抵抗３６によりＬｏｗレベルにあり、比較器３５はＬｏｗレベル信号（Ｌｏｗレベル）を出力する。このためインバータ回路３４はＨｉｇｈレベル信号（Ｈｉｇｈレベル）を出力し、Ｐ−ＭＯＳトランジスタ３２は、オフ（遮断）状態であり、内蔵バッテリ４から各レギュレータ２に電源が供給される。携帯電話機の動作可能時間は容量の少ない内蔵バッテリ４により比較的短時間に電池切れ状態となり、携帯電話機の機能のリセット状態となる。
【００２８】
これに対し、充電状態の外部バッテリ５をバッテリ接続端子７に接続して使用すると、バッテリ接続端子７の電圧レベルはＨｉｇｈレベルとなるから比較器３５はＨｉｇｈレベルを出力する。この結果インバータ回路３４はＬｏｗレベルを出力し、Ｐ−ＭＯＳトランジスタ３２はオン（導通）状態となり、外部バッテリ５から各レギュレータ２に電源が供給される。この時、比較器３５のＨｉｇｈレベルの出力と２段のインバータ回路３３のＨｉｇｈレベルの出力によりＡＮＤ回路３７のＨｉｇｈレベルの出力によりＰ−ＭＯＳトランジスタ３１はオフ状態となりバッテリ同士での充放電動作は回避できる。
【００２９】
次に、外部バッテリ５の充電量が次第に減少し、バッテリ接続端子７の電圧が低下し基準電圧Ｖｒｅｆより低下すると、比較器３５はＬｏｗレベルに切り替わり、インバータ回路３４はＨｉｇｈレベルを出力し、Ｐ−ＭＯＳトランジスタ３２はオフ状態となる。このとき、ＡＮＤ回路３７の入力は、何れもＬｏｗレベルとなりＰ−ＭＯＳトランジスタ３１はオン状態となり、内蔵バッテリ４から各レギュレータ２に電源が供給される。この場合もバッテリ同士での充放電動作は回避できる。外部バッテリ５の使用により携帯電話機の使用可能時間は大幅に延長される。
【００３０】
以上のように、本実施の形態のバッテリ切替回路３によれば、外部バッテリ５の接続時に該外部バッテリ５と内蔵バッテリ４との間で充放電動作を起こさず、また外部バッテリ５の充電量が各レギュレータ２の駆動に必要な残量を有している限り、内蔵バッテリ４に優先して使用され、所定値以下の残量で内蔵バッテリ４に自動的に切り替わる。また、外部バッテリ５は、携帯電話機の軽量化のため等により充分な残量を有する状態で適宜取り外すことにより、自動的に内蔵バッテリ４から各レギュレータへの電力の供給を可能とする。
【００３１】
次に、各バッテリ４、５の充電動作について充電スイッチ６を加えた本発明の実施の形態の動作を説明する。充電スイッチ６は充電ＩＣ１とバッテリ切替回路３の電源ライン間のスイッチ６１と、充電ＩＣ１の電源ラインと外部バッテリ５のバッテリ接続端子７間のスイッチ６２と、両スイッチ６１、６２を逆方向にオンオフ切り替えを行う操作部６３とからなる。
【００３２】
充電スイッチ６は、通常の使用状態では、スイッチ６１がオン状態、スイッチ６２がオフ状態に設定される。この状態では例えば、外部バッテリ５が接続状態で、外部バッテリ５から各レギュレータ２に電源が供給され動作している（内蔵バッテリ４はＰ−ＭＯＳトランジスタ３１により切り離されている）。
【００３３】
ここでＡＣ／ＤＣアダプタＢが接続されると充電ＩＣ１から各レギュレータ２に電源が供給される。この場合、充電ＩＣ１から外部バッテリ５に対してもＰ−ＭＯＳトランジスタ３２を介して充電電流が流れるように充電ＩＣ１の容量を設定することができる。つまり、外部バッテリ５が過放電状態でない限り充電ＩＣ１により充電動作を可能とする。
【００３４】
また、外部バッテリ５が接続されていない場合にＡＣ／ＤＣアダプタＢが接続されると、前述の動作によりＰ−ＭＯＳトランジスタ３１がオン状態であるから、充電ＩＣ１から各レギュレータ２に電源が供給されるとともに充電ＩＣ１から内蔵バッテリ４に対しても充電電流が流れ、充電動作が可能である。
【００３５】
以上の動作は、外部バッテリ５の接続又は取り外し、ＡＣ／ＤＣアダプタＢの接続及び取り外しの何れの組み合わせでも実現されることは明らかである。
【００３６】
次に、ＡＣ／ＤＣアダプタＢが接続された状態であり、外部バッテリ５が過放電状態で接続されている場合は、充電スイッチ６のオン／オフ状態を操作部６３により切り替えることにより充電動作が可能である。つまり、この場合スイッチ６１がオフ状態であるから各レギュレータ２は内蔵バッテリ４から電源が供給される一方、スイッチ６２がオン状態であるから、充電ＩＣ１からスイッチ６２を介して外部バッテリ５が充電される。ここで、外部バッテリ５の端子電圧が比較器３５の基準電圧Ｖｒｅｆより大きくなるとＰ−ＭＯＳトランジスタ３１、３２のオンオフ関係は反転し、充電ＩＣ１からオン状態に切り替わったＰ−ＭＯＳトランジスタ３２を介して各レギュレータに電源が供給される。
【００３７】
本実施の形態の以上の動作乃至機能により、携帯電話機を内蔵バッテリ４のみにより動作させることも、外部バッテリ５を装着して外部バッテリの優先使用により動作させることも可能であるだけでなく、外部バッテリ５が過放電時に、外部バッテリ５を充電させることも、過放電状態の外部バッテリ５を携帯電話機に接続して充電させることも可能である。携帯電話機の使用状態でＡＣ／ＤＣアダプタＢを接続することも取り外すことも適宜可能である。
【００３８】
（他の実施の形態）
本発明の他の実施の形態の携帯電話機のより具体的な構成例を以下説明する。  
図３は本実施の形態の構成を示す図である。ＡＣ／ＤＣアダプタＢはＡＣ入力２５０Ｖ〜１００Ｖ、ＤＣ出力６．５Ｖ〜４．５Ｖとする。内蔵バッテリ４及び外部バッテリ５は電池電圧の範囲４．２Ｖ〜３．０Ｖのリチュームイオンバッテリ（充電時に電池最大電圧が４．２Ｖに制御される）とし、比較器３５の基準電圧には低電圧警報（ＬＶＡ：Low Voltage Alarm）の電圧値（低電圧警報電圧値）を使用する。低電圧警報電圧値は携帯電話機のレギュレータの出力で動作する各々の回路の正常な動作特性が確保できるレギュレータの入力電圧値で設定しており、３．６Ｖ〜３．３Ｖ程度が採用されるが本実施の形態では３．６Ｖに設定する。本実施の形態ではバッテリ切替回路３のスイッチ構成を、前記充電ＩＣ１の出力端子に直列に接続したスイッチ６１に更に直列接続したＰ−ＭＯＳトランジスタ３８を設けて前記充電ＩＣ１と電源ラインを接続し、該Ｐ−ＭＯＳトランジスタ３８のゲート電極を比較器３５の出力に接続した構成としている。
【００３９】
図４は充電ＩＣ１による電源供給及び充電の構成を示す図であり、図５は各レギュレータの構成を示す図である。レギュレータはバッテリの電圧を各々のレギュレータを通しバッテリの放電特性による電圧変動に影響されないように定電圧化して各々の回路に電力供給を行うものである。各レギュレータとしては、無線（ＲＦ）部に３．３Ｖを出力するレギュレータ１、ベースバンド処理部及びメモリ部にそれぞれ１．８Ｖを出力するレギュレータ２及び３、マイク・スピーカ等に３．３Ｖを出力するレギュレータ４を備え、更にレギュレータの入力電圧から低電圧警報電圧値３．６Ｖ〜３．３Ｖを出力し、３．３Ｖ未満の場合にシステムリセット信号を出力する低電圧検出回路を備える。
【００４０】
図６はリチュームイオン電池の放電特性を示す図であり、図７は内蔵バッテリ４と外部バッテリ５の放電とバッテリ動作の遷移を示す図である。電池最大電圧は充電時に４．２Ｖに制御されこの電圧値が最大値となり回路への電力供給が行なわれ、バッテリ電圧が約３．０Ｖ程度まで電流を放出する特性を有する。バッテリ出力電圧は最大４．２Ｖから放電容量（ｍＡｈ）に応じて次第に低下し、２００ｍＡｈ程度の放電により過放電となる。図７に示すように、外部バッテリ５の装着状態では、外部バッテリ５から放電動作が開始し（ｔ１）、出力電圧が比較器のＬＶＡ（３．６Ｖ）未満になると比較器３５の出力はＬｏｗレベルとなってＰ−ＭＯＳトランジスタ３８がオン（ＯＮ；導通）、Ｐ−ＭＯＳトランジスタ３２がオフ（ＯＦＦ；遮断）となり、回路への電力供給は内部バッテリ４に切り替わり該内蔵バッテリが放電動作を開始する（ｔ２）。内蔵バッテリ４は放電開始時（ｔ２）の４．２Ｖから放電容量（ｍＡｈ）に応じて次第に低下し、出力電圧が３．６Ｖ未満となると低電圧警報となり、バッテリの低電圧による回路誤動作を防ぐ目的で３．３Ｖとなると携帯電話機能の強制リセットが行われる。
【００４１】
以上の制御により携帯電話機のバッテリライフはバッテリ４＋バッテリ５の容量に依存する構成となり、かつ効率よく２つのバッテリ４、５を使用できる。本実施の形態においては、ＡＣ／ＤＣアダプターＢからの回路への電力供給及び内蔵バッテリ４への充電が可能である。また外部バッテリ５への充電はＰ−ＭＯＳトランジスタ３２からはできないものの、操作部６３の操作によりスイッチ６２をオン状態とすることにより充電動作が可能であることは以上の説明から明らかである。
【００４２】
（他の実施の形態）
図８は、ＰＣＭＣＩＡ（ＴＹＰＥ２）のＰＨＳ装置へ適用した実施の形態を示す図である。本実施の形態では、ＰＣＭＣＩＡサイズ（ＴＹＰＥ２）の携帯電話機として、ノート型パーソナルコンピュータ（ノートＰＣ）に設けられているＰＣＭＣＩＡスロットに差込み可能なＰＣＭＣＩＡインターフェースを装着している。該携帯電話機をノートＰＣに差し込むことにより、電力供給はＡＣ／ＤＣアダプターに代えてノートＰＣのＰＣＭＣＩＡスロット内等の電源部から供給され、またノートＰＣから通信制御が行われるように構成される。この場合においても、前述の動作によりＰＣのＰＣＭＣＩＡカードスロットに差込みデータ通信を行いながら内蔵バッテリの充電が可能である。
【００４３】
前記実施の形態では、携帯電話機を単体で使用するときは必要に応じ携帯電話機の一面等にラミネートタイプの薄型のセカンド（外部）バッテリを装着して使用することを可能とし、外部バッテリを装着することにより通話時間を充分確保できるように構成したものであり、ノートＰＣ側のスロットの寸法をセカンドバッテリの装着状態でも差込可能に構成すること、又はセカンドバッテリの装着状態での携帯電話機自体の寸法をノートＰＣ側スロットの寸法に合わせることにより、セカンドバッテリの装着状態での内蔵バッテリ及び外部バッテリの充電を可能に構成することができる。勿論、この場合も他の充電用のＡＣ／ＤＣアダプタの使用を可能とすることができ、携帯電話機へのセカンドバッテリの装着状態での図２に示すような内蔵バッテリ及び外部バッテリの充電を可能に構成することができることは云うまでもない。
【図面の簡単な説明】
【００４４】
【図１】本発明の実施の形態としての携帯電話機の構成を示す図である。
【図２】本実施の形態の携帯電話機の電源構成部分を示す図である。
【図３】他の実施の形態の構成を示す図である。
【図４】充電ＩＣ１による電源供給、充電回路の構成を示す図である。
【図５】各レギュレータの構成を示す図である。
【図６】リチュームイオン電池の放電特性を示す図である。
【図７】内蔵バッテリと外部バッテリの放電とバッテリ動作の遷移を示す図である。
【図８】ＰＣＭＣＩＡ（ＴＹＰＥ２）のＰＨＳ装置へ適用した他の実施の形態を示す図である。
【符号の説明】
【００４５】
１  充電ＩＣ
２  レギュレータ
３  バッテリ切替回路
４  内蔵バッテリ
５  外部バッテリ
６  充電スイッチ
７  バッテリ接続端子
３１、３２  Ｐ型電界効果トランジスタ
３３、３４  インバータ回路
３５  比較器（コンパレータ）
３６  プルダウン抵抗
３７  ＡＮＤ回路
６１、６２  スイッチ
６３  操作部
【図１】
2005295683.tif 000003
【図２】
2005295683.tif 000004
【図３】
2005295683.tif 000005
【図４】
2005295683.tif 000006
【図５】
2005295683.tif 000007
【図６】
2005295683.tif 000008
【図７】
2005295683.tif 000009
【図８】
2005295683.tif 000010